(57)【要約】      （修正有）【課題】本発明は、秘匿されたメッセージを包蔵し前記メッセージを記録した添書カードを附録する贈答品として利用することができる裂き織製品を得ること。【解決手段】本発明は古くなった布を裂いて紐状にしたものに色落ちしないメッセージを記入したものを緯糸とし、前記緯糸と織り機にかけた経糸とを共に織り込んだ裂き織物を製造し、織り込まれて判読不能となった前記メッセージを記録した添書カードを附録することで、秘匿されたメッセージを包蔵し前記メッセージを記録した添書カードを附録する裂き織製品を構成している。【選択図】図３
2015081394.tif 000002
【特許請求の範囲】
【請求項１】
古くなった布を細く裂いて紐状にした裂き布に色落ちしないメッセージが記入されたものを緯糸に用い、前記緯糸と縦糸とを織り機によって織り込み、前記緯糸が筬により打ち込まれて圧縮され、前記メッセージが判読不能となる再生布を構成する織物を作成し、判読不能になった前記メッセージを記載した情報を記録した添書カードを附録することを特徴とした裂き織製品。
【発明の詳細な説明】
【技術分野】
【０００１】
本発明は古くなった布を裂いて紐状にしたものを緯糸とし、前記緯糸と手織り機にかけた経糸とを共に織り込んだ裂き織の贈答用などの製品に関する。
【背景技術】
【０００２】
過去、布織物が天然の草木を原料として手作業で作られていた時代において、その作業は非常に手間と時間が掛かったため、布は大変に貴重なものであった。特に綿や絹が生産困難な寒冷地であった東北や日本海側地域は古布をも使い切る裂き織文化が発達した。
【０００３】
染織の工業化により繊維製品が充足した近年においては、裂き織独特の風合いや芸術的側面が見直され、また繊維廃棄物の増大からリサイクルの一手法として注目されている。
【０００４】
しかしながら、２方向の一連の糸を交差させて布を織るには古来さまざまな技法があるが、何れも布地に図形的、又は絵画的文様を表現することを目的としている。
【０００５】
裂き織においても、古布を紐状に裂いた緯糸には元となる布の文様が残存していても筬により打ち込まれ圧縮されることにより文様としては認められなくなり無作為な色調を示すのみとなるため、色合いの異なる何種類かの裂き布を緯糸として別途用意し、表現したい絵柄に基づいて計算した横段ごとに緯糸を換えるなどして新たな文様を織り出しながら再生布として仕上げていくのが従来の方法であった。
【０００６】
例えば特開２００４−２３２１６１に係る「裂き織の方法」は、思い出の服を形や柄をそのまま残しながら、新しい服や壁掛けなどに再生するために必要な織物技術である裂織りの方法に関するものである。所望の服を細いリボン状に切断し元服リボンとし、それとは別に任意の布を細いリボン状に切断し周辺リボンとし、手織機に縦糸をセットして、そこに前記の元服リボンと周辺リボンを横糸として織り込むことによって、新たに織り上がる布に所望の服を絵柄として現すようにしたことを特徴とする裂織の方法を記している。これによれば、元服を裂いた緯糸となるリボンを縦糸に渡らせた後、筬で打ち込んで圧縮せず原型の柄を活かしつつ、別布で作成した裂き布と共に織り込むことにより、周辺リボンの織り地の内側に元服の形や柄をそのまま残しながら再現するように構成している。
【０００７】
また特開２０１３−１０５１５０に係る「裂き織方法」は、リボン形状の横糸の織り込みによって表現される裂き織物の絵柄を、あらかじめ設定した通りの形状で裂き織物に簡単に現出可能な裂き織り方法に関するものである。あらかじめリボン形状の横糸の裂き織り時の圧縮率を求め、その後、染め付け工程で、横糸の圧縮率の逆数倍だけ裂き織物の絵柄を裂き布の長さ方向へのみ拡大した元絵柄を裂き布に染め付ける。これにより、裂き織り工程において、筬による打ち込みで、横糸が所定の圧縮率で順次圧縮されていくことにより、目標通りの絵柄を裂き織物に簡単に現出させることができるように構成している。
【０００８】
このように伝統的な織においても、新たに提示された方法においても、織り出される絵柄の現出方法についての創意工夫がなされているが、緯糸とする裂き布そのものの文様が筬により織り込まれ圧縮されて不明瞭になる点を有利と捉える発想はない。また、以下に列記する非特許文献も、裂き織の歴史や近年改良された機による様々な織り方の記述はあるが、織り込まれ圧縮される裂き布そのものに文書が秘匿されるという本発明の着眼点について認識していない。
【先行技術文献】
【特許文献】
【０００９】
【特許文献１】特開２００４−２３２１６１
【特許文献２】特開２０１３−１０５１５０
【非特許文献】
【００１０】
【非特許文献１】「みちのくの古布の世界」田中忠三郎著  河出書房出版２００９年
【非特許文献２】「裂き織り小物」箕輪直子著  ＮＨＫ出版２００２年
【非特許文献３】「もっと手軽に手織りを楽しむ」雄鶏社２００３年
【非特許文献４】「裂いた布で織る裂き織り」小宮しげこ著  日本ヴォーグ２００４年
【発明の概要】
【発明が解決しようとする課題】
【００１１】
本発明は、以上のような分析に基づき従来に無い着眼点に鑑み、平面としての面積を持ち且つ文様を含有する布を裂いて緯糸として使用する裂き織において、裂き布の文様が織り込まれ圧縮されて不明瞭となる特徴を価値として見出し、これまで廃品となった布のマテリアルリサイクルの一手法という趣旨であった裂き織を、より深い内容と文様以上の効用を持つ製品として提供することを目的としている。     
【課題を解決するための手段】
【００１２】
上記目的を達成するために、本発明は、古くなった布を細く裂いて紐状にしたものを緯糸とし、縦糸と共に織り上げて再生布を構成する裂き織において、前記紐状裂き布に色落ちしない筆記具を用いた手書きなどによるメッセージが記入されたものを緯糸に用い、前記緯糸と縦糸とを織り機によって織り込み、前記緯糸が筬により打ち込まれて圧縮され、前記メッセージが判読不能となる再生布を構成する織物を作成し、判読不能になった前記メッセージを記載した裂き布の画像などを記録した添書カードを添付することで、秘匿されたメッセージを包蔵し前記メッセージを記録した添書カードを附録する贈答用ともなる裂き織製品を構成している。
【発明の効果】
【００１３】
以上の説明から明らかなように、本発明にあっては次に列挙する効果が得られる。
（１）裂き布が織り込まれ圧縮されて贈り主のメッセージが判読不能になるため  贈答用製品になった外観からは贈り主の思念があからさまにされず、受領者は一般の製品と同等に日常生活に使用できる。また附録された添書カードにより受領者は秘匿されたメッセージを知ることができる。したがって、古布を廃棄せず再利用する趣旨の裂き織の概念を超え、織り込む布に意味を持たせ、文様の表現を享受する以上の効用を与えることができる。
【００１４】
（２）これまでの記念品、贈答品には、記念日ならびに姓名、祈願文などが刻字され、または明示される事例が多い。例えば引出物、長寿祝い、出産祝いなど多様である。しかしながら明示されているがゆえに受納しても日常生活には使用しにくい場合が多い。前記（１）によってこの問題が解決される。
【００１５】
（３）また、メッセージの記入は単独でも複数人でもよく、また、長文や寄せ書きも可能であり、贈り主の愛着のある古布、または受領者に由来する古布を用い、贈り主自身のメッセージが秘匿されるため、既製品に刻字し贈答品とするより繋がりが得られる。
【図面の簡単な説明】
【００１６】
【図１】本発明を実施するための古布を裁断してメッセージを記入した外観図
【図２】前記メッセージ入りの裂き布の画像を撮り作成した添書カードの外観図
【図３】前記メッセージ入りの裂き布を緯糸として織り機に張った縦糸と共に織り込み再生布を作成中の状態を示す外観図
【図４】前記判読不能となったメッセージを包蔵する再生布を生活用品として使用できる製品に仕立てた一例である贈答品の外観図
【発明を実施するための形態】
【００１７】
以下、本発明の実施の形態を図１から図４に基づいて説明する。
【００１８】
図１は、本発明に係る裂き布を示す図であって、使い古した布１の四方の上辺から横方向に適宜の幅に裂く。縦方向の辺の手前で裂ききらずに止め、下方の端から同じ幅に逆方向に横に裂く。このように両端を残しながら往復を繰り返しジグザグに裂くと一本の紐状になる。例えば１０cm四方の布を上記の方法で裂くと約６０cmの紐状の裂き布２を得ることができる。手で裂くと断面が毛羽立ったようになり素朴な風合いが出るが  裂きにくい場合は鋏やカッターを用いてもよい。この方法で作成された裂き布２にメッセージ３を記入する。このメッセージの記入は経年劣化、製品使用時の摩耗による消失、使用状況による滲漏汚染などのない筆記具や彩色用具を用い、また刺繍などでもよい。
【００１９】
図２は、前記メッセージ３入りの裂き布４の画像５を撮り作成した添書カード６を示す図である。撮影した画像を印画紙に印刷し贈答品に添える挨拶文７を書く。このカードを贈答品に附録することにより本発明の裂き織製品に秘匿されたメッセージが判読可能となる。他の方法として例えばQRコード（登録商標）をカードに載録し携帯電話を用いて読み取り、メッセージ記入及び機で織り込む情景を動画で可視化するなど証拠となる情報を表すこともできる。
【００２０】
図３は、前記メッセージ入りの裂き布４を緯糸として織り機に張った縦糸８に対し垂直に交わるよう筬９で打ち込み再生布を作成する図である。このとき従来の織の技法を用いて色合いの異なる他の裂き布も使用して図形的または絵画的文様を表現してもよい。織りあがった再生布１０のうち、メッセージを記入した裂き布４からなる緯糸は筬により打ち込まれて圧縮されているため、そのメッセージ３は判読不能となってどの位置に織り込まれているかも定かではなくなっている。
【００２１】
図４は、前記判読不能となったメッセージを包蔵する再生布１０を生活用品として使用できる製品に仕立てた一例１１のバッグを示す図である。製品は布を縫製して形成される様々な日用品が想定できる。例えば本やノートのカバー、ノートパソコン・スマートフォンなどのケース、各種ポーチ、クッション、エプロンなどである。また、前記製品１１に秘匿された贈り主のメッセージは外見上他者には判読できないが  製品に附録された実施例２において作成した添書カード６により受領者は贈り主のメッセージを了知する。
【産業上の利用可能性】
【００２２】
本発明は、秘匿されたメッセージを包蔵し前記メッセージを記録した添書カードを附録する裂き織製品を製造する産業で利用される。
【符号の説明】
【００２３】
１    使い古した布
２    裂き布
３    色落ちしないメッセージ
４    メッセージ入りの裂き布
５    メッセージ入りの裂き布の画像
６    添書カード
７    挨拶文
８    織り機に張った縦糸
９    筬
１０  織りあがった再生布
１１  製品に仕立てた一例
【図１】
2015081394.tif 000003
【図２】
2015081394.tif 000004
【図３】
2015081394.tif 000005
【図４】
2015081394.tif 000006